【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ユニバーサル非同期受信機／伝送機インターフェースであって、
第１のモードにおいて従来のユニバーサル非同期受信機／伝送機プロトコルを使用するように構成可能である、構成可能な非同期受信機および伝送機ユニットと、
構成レジスタのセットと、
構成可能な状態マシンと
を備え、
少なくとも第１の構成レジスタ内の制御ビットが設定された場合、前記構成可能な非同期受信機および伝送機ユニットは、第２のモードで動作し、前記状態マシンは、各々が前記構成レジスタによって規定される複数の所定の転送プロトコルのうちの１つを適用するように前記ユニバーサル非同期受信機／伝送機インターフェースを制御し、それによって、種々のボーレートをサポートし、少なくともスタートビット構成、ストップビット構成、アイドル周期、チェックサム計算、データ挿入、およびパリティビットに選択可能な設定を提供して前記複数の所定の転送プロトコルを自動的にサポートするように前記受信機および伝送機ユニットを構成し、前記所定の転送プロトコルのうちの１つは、前記構成レジスタのうちの少なくとも１つを通して選択される、ユニバーサル非同期受信機／伝送機インターフェース。
【請求項２】
前記複数の通信プロトコルは、ＤＭＸプロトコルを備える、請求項１に記載のユニバーサル非同期受信機／伝送機インターフェース。
【請求項３】
前記複数の通信プロトコルは、ＤＡＬＩプロトコルを備える、請求項１に記載のユニバーサル非同期受信機／伝送機インターフェース。
【請求項４】
前記複数の通信プロトコルは、ＬＩＮプロトコルを備える、請求項１に記載のユニバーサル非同期受信機／伝送機インターフェース。
【請求項５】
動作モードは、構成レジスタを通して設定される、請求項１に記載のユニバーサル非同期受信機／伝送機インターフェース。
【請求項６】
前記ＵＡＲＴは、前記状態マシンが、前記第２のモードでブレイク、ＭＡＢ、フレーム幅、ＭＴＢＦ、およびＭＴＢＰのための自動サポートを提供するように前記構成レジスタを通してプログラム可能である、請求項１に記載のユニバーサル非同期受信機／伝送機インターフェース。
【請求項７】
前記第２のモードにある場合、前記所定の転送プロトコルのうちの１つは、マンチェスタモードである、請求項１に記載のユニバーサル非同期受信機／伝送機インターフェース。
【請求項８】
前記第２のモードにある場合、前記所定の転送プロトコルのうちの１つは、データ伝送がアドレスの後にデータを含む、アドレス検出モードである、請求項１に記載のユニバーサル非同期受信機／伝送機インターフェース。
【請求項９】
前記構成可能な非同期受信機および伝送機ユニットは、ＦＩＦＯをさらに備え、前記ＦＩＦＯの使用可能性は、前記構成レジスタ内の設定によって制御される、請求項１に記載のＵＡＲＴインターフェース。
【請求項１０】
請求項１〜９のうちの１項に記載のユニバーサル非同期受信機／伝送機インターフェースを備える、マイクロコントローラ。
【請求項１１】
前記マイクロコントローラは、８ビットマイクロコントローラ、１６ビットマイクロコントローラ、および３２ビットマイクロコントローラから成る群から選択される、請求項１０に記載のマイクロコントローラ。
【請求項１２】
前記ユニバーサル非同期受信機／伝送機インターフェースに結合されたタイマをさらに備える、請求項１０に記載のマイクロコントローラ。
【請求項１３】
請求項１０に記載のマイクロコントローラと、
前記ＵＡＲＴインターフェースを介してデータを受信および伝送するように動作可能である、前記マイクロコントローラに結合された複数のコンポーネントと
を備える、マイクロコントローラシステム。
【請求項１４】
前記複数のコンポーネントは、複数の視聴覚コンポーネントを備える、請求項１０に記載のマイクロコントローラシステム。
【請求項１５】
ユニバーサル非同期受信機／伝送機インターフェースを動作させる方法であって、
構成レジスタのセットを伴う構成可能な非同期受信機および伝送機ユニットと、構成可能な状態マシンとを提供することを含み、
前記方法は、
少なくとも第１の構成レジスタ内の制御ビットを消去する場合、少なくともスタートビット、データワード、およびストップビットを使用して従来のユニバーサル非同期受信機／伝送機プロトコルを使用するように前記構成可能な非同期受信機および伝送機を第１のモードで動作させるステップと、
前記制御ビットが設定された場合、前記構成可能な非同期受信機および伝送機ユニットを第２のモードで動作させ、各々が前記構成レジスタによって規定される複数の所定の転送プロトコルのうちの１つを適用するように、前記状態マシンによって前記ユニバーサル非同期受信機／伝送機インターフェースを制御するステップであって、それによって、種々のボーレートをサポートし、少なくともスタートビット構成、ストップビット構成、アイドル周期、チェックサム計算、データ挿入、およびパリティビットに選択可能な設定を提供して前記所定の転送プロトコルのうちの１つを自動的にサポートするように前記受信機および伝送機ユニットを構成し、転送プロトコルは、前記構成レジスタのうちの少なくとも１つを通して選択される、ステップと
を含む、方法。
【請求項１６】
前記複数の通信プロトコルは、ＤＭＸプロトコル、ＤＡＬＩプロトコル、またはＬＩＮプロトコルである、請求項１５に記載の方法。
【請求項１７】
前記ＵＡＲＴは、前記状態マシンが、前記第２のモードでブレイク、ＭＡＢ、フレーム幅、ＭＴＢＦ、およびＭＴＢＰのための自動サポートを提供するように前記構成レジスタを通してプログラム可能である、請求項１５〜１６のうちの１項に記載の方法。
【請求項１８】
前記第２のモードにある場合、前記所定の転送プロトコルのうちの１つは、マンチェスタモード、または、データ伝送がアドレスの後にデータを含む、アドレス検出モードである、請求項１５〜１６のうちの１項に記載の方法。
【手続補正２】
【補正対象書類名】明細書
【補正対象項目名】０００９
【補正方法】変更
【補正の内容】
【０００９】
いくつかの実施形態では、動作モードは、マンチェスタモードを含んでもよい。
本願明細書は、例えば、以下の項目も提供する。
（項目１）
ユニバーサル非同期受信機／伝送機（ＵＡＲＴ）インターフェースであって、前記ＵＡＲＴインターフェースは、
構成可能な非同期受信機および伝送機ユニットと、
構成可能な状態マシンと
を備え、
前記状態マシンは、前記受信機および伝送機ユニットの構成が種々のボーレートをサポートし、スタートビットおよびストップビット構成を提供することを可能にし、前記状態マシンはさらに、複数の通信プロトコルを自動的にサポートするように構成可能である、ＵＡＲＴインターフェース。
（項目２）
前記複数の通信プロトコルは、ＤＭＸプロトコルを備える、項目１に記載のＵＡＲＴインターフェース。
（項目３）
前記複数の通信プロトコルは、ＤＡＬＩプロトコルを備える、項目１に記載のＵＡＲＴインターフェース。
（項目４）
前記複数の通信プロトコルは、ＬＩＮプロトコルを備える、項目１に記載のＵＡＲＴインターフェース。
（項目５）
動作モードは、構成レジスタを通して設定される、前記項目のうちの１項に記載のＵＡＲＴインターフェース。
（項目６）
前記状態マシンは、第２のモードでブレイク、ＭＡＢ、フレーム幅、ＭＴＢＦ、およびＭＴＢＰのための自動サポートを提供する、前記項目のうちの１項に記載のＵＡＲＴインターフェース。
（項目７）
前記項目のうちの１項に記載のＵＡＲＴインターフェースを備える、マイクロコントローラ。
（項目８）
前記マイクロコントローラは、８ビットマイクロコントローラ、１６ビットマイクロコントローラ、および３２ビットマイクロコントローラから成る群から選択される、項目７に記載のマイクロコントローラ。
（項目９）
前記ＵＡＲＴインターフェースに結合されたタイマをさらに備える、項目７に記載のマイクロコントローラ。
（項目１０）
前記動作モードは、マンチェスタモードを備える、前記項目のうちの１項に記載のＵＡＲＴインターフェース。
（項目１１）
ユニバーサル非同期受信機／伝送機（ＵＡＲＴ）インターフェースであって、前記ＵＡＲＴインターフェースは、構成可能な非同期受信機および伝送機ユニットと、構成可能な状態マシンとを備え、前記状態マシンは、前記受信機および伝送機ユニットの構成が種々のボーレートをサポートし、スタートビットおよびストップビット構成を提供することを可能にし、前記状態マシンはさらに、複数の通信プロトコルを自動的にサポートするように構成可能である、ＵＡＲＴインターフェースと、
前記ＵＡＲＴインターフェースを備えるマイクロコントローラと、
前記ＵＡＲＴインターフェースを介してデータを受信および伝送するように動作可能である、前記マイクロコントローラに結合された複数のコンポーネントと
を備える、マイクロコントローラシステム。
（項目１２）
前記複数の通信プロトコルは、ＤＭＸプロトコルを備える、項目１１に記載のマイクロコントローラシステム。
（項目１３）
前記複数の通信プロトコルは、ＤＡＬＩプロトコルを備える、項目１１に記載のマイクロコントローラシステム。
（項目１４）
前記複数の通信プロトコルは、ＬＩＮプロトコルを備える、項目１１に記載のマイクロコントローラシステム。
（項目１５）
動作モードは、構成レジスタを通して設定される、項目１１−１４のうちの１項に記載のマイクロコントローラシステム。
（項目１６）
前記状態マシンは、第２のモードでブレイク、ＭＡＢ、フレーム幅、ＭＴＢＦ、およびＭＴＢＰのための自動サポートを提供する、項目１１−１５のうちの１項に記載のマイクロコントローラシステム。
（項目１７）
前記マイクロコントローラは、８ビットマイクロコントローラである、項目１１−１６のうちの１項に記載のマイクロコントローラシステム。
（項目１８）
前記ＵＡＲＴインターフェースに結合されたタイマをさらに備える、項目１１−１７のうちの１項に記載のマイクロコントローラシステム。
（項目１９）
動作モードは、マンチェスタモードを備える、項目１１−１８のうちの１項に記載のマイクロコントローラシステム。
（項目２０）
前記複数のコンポーネントは、複数の視聴覚コンポーネントを備える、項目１１−１９のうちの１項に記載のマイクロコントローラシステム。